(57)【要約】【課題】支柱を上部、下部の２層式にして現場の状況によって、支柱下部だけの使用と上部下部の２層で使用することにより、現場の景観や安全等が確保できる個建住宅現場用仮囲いを提供することを課題とする。【解決手段】面と面とが直角に交わる箇所で面と面とを連結するための支柱として用いられる隅用柱２と、同一方向の面と面とを連結するための支柱として用いられる中間用柱３と、隅用柱及び中間用柱の下端に取り付けられ、昇降調整自在の構造を有する昇降自在の基礎４と、隅用柱又は中間用柱を横方向に連結するための横連結パイプ５と、枠に張設された板状体を有するパネル６とを有し、さらに、隅用柱７ａ、中間用柱７ｂ、横連結パイプ７ｃ及びパネル７ｄからなる嵩上げ用部材７を有することを特徴とする。【選択図】図１
0003118599.tif 000002
【実用新案登録請求の範囲】
【請求項１】
住宅の建設工事現場における個建住宅現場用仮囲いであって、
面と面とが直交する箇所で面と面とを連結するための支柱として用いられる隅用柱と、同一方向の面と面とを連結するための支柱として用いられる中間用柱と、
隅用柱及び中間用柱の下端に取り付けられ、昇降調整自在の構造を有する昇降自在の基礎と、
隅用柱又は中間用柱を横方向に連結するための横連結パイプと、
枠に張設された板状体を有するパネルと、
を有する
ことを特徴とする個建住宅現場用仮囲い。
【請求項２】
さらに、隅用柱、中間用柱、横連結パイプ及びパネルからなる嵩上げ用部材を有する
ことを特徴とする請求項１に記載の個建住宅現場用仮囲い。
【請求項３】
前記隅用柱及び中間用柱は、前記パネルを係止するための係止金具を有する連結具を備え、横連結パイプの連結金具と前記隅用柱及び中間用柱の連結具には穴あけ加工が施されている
ことを特徴とする請求項１又は２に記載の個建住宅現場用仮囲い。
【請求項４】
前記パネルの板状体は、プラスチック又は金属網からなる
ことを特徴とする請求項１ないし３にいずれかに記載の個建住宅現場用仮囲い。
【考案の詳細な説明】
【技術分野】
【０００１】
本考案は、新規な構成を有する個建住宅現場用仮囲いに関するものである。
【背景技術】
【０００２】
個別住宅の建設工事現場における仮囲いや仮設足場等は、種々の大きさの住宅に対処するため、横方向の幅の調整、縦方向の高さの調整等は柔軟性、簡易性が必要とされてきた。  
【０００３】
例えば、特許文献１では、建築に用いられる仮設足場の連結部材に関し、支柱の横断面の中心を通り且つ横ステーの軸線と平行な仮想の線を基準線Ａとしたときに、横ステーの接続部には、基準線Ａの近辺を境界として一方側に偏倚して支柱に当接する支持部が形成されるため、横ステーの取付け取外しが支持部側のある方向から水平方向に横ステーを移動させることによって簡単に行うことができ、さらに、横ステーの接続部に、基準線Ａの近辺を境界として一方側に偏倚して支柱に当接する支持部が形成されるため、支柱に当接する支持部の当接面を周方向に長く取っても横ステーの取付け、取外しには支障をきたすことがないので、その分横ステーがいずれかの方向へ回転しようとしてもそれを阻止する強い固定力が作用して、少数の横ステーによって足場を形成することができる技術が開示されている。
【０００４】
また、特許文献２では、建築に用いられる仮設足場の連結部材に関し、横ステーに外部から作用する鉛直面内での回転力に対しては、支柱に突設したフランジ部材を挟んで横ステーに突設した接続部の上下２個所が支柱本体に当接して規制され、水平面内での回転力に対しては、楔と支柱横断面中心とを結ぶ仮想線Ｃを挟んで水平方向に長い少なくとも２点の当接面が支柱本体に当接して規制されることにより、横ステーがいずれかの方向へ回転しようとしてもそれを阻止する強い固定力が作用して、少数の横ステーによって足場を形成することができる技術が開示されている。
【０００５】
【特許文献１】特開平６―４２１６７号公報
【特許文献２】特開平６―４２１６８号公報
【考案の開示】
【考案が解決しようとする課題】
【０００６】
しかしながら、種々の大きさの住宅に柔軟に対処する必要があるため、従来の技術には、下記のような問題点があった。
１．従来の仮囲いでは必要部品や部材が多く、部材等の維持管理や入出荷等に手間が掛かる。
２．従来の仮囲いは外部からの侵入者を遮断できるが、仮囲いの高さに柔軟性がないので、現場の状況によって現場の景観を損ねる場合があり、使用不可の場合もある。代替品としてバリケード等の使用となる。
３．従来の仮囲いを施工組立する場合、囲いに取り付けるパネルを一人で取り付けることが困難で作業性が落ちる。
【０００７】
上記問題点に鑑み、本考案は、支柱を上部、下部の２層式にして現場の状況によって、支柱下部だけの使用と上部下部の２層で使用することにより、現場の景観や安全等が確保できる個建住宅現場用仮囲いを提供することを課題とする。
更に、パネル等を支えるために支柱にプレートを付け、そして、支柱と支柱を連結する連結部品を装着するために、プレート上に穴開け加工を施し、かつ各種パネルを一人で取り付けできるようプレート先端部分にパネルの受け口としてＬ型の部品を装着することにより、施工組立及び分解が極めて容易で簡単な個建住宅現場用仮囲いを提供することを課題とする。
【課題を解決するための手段】
【０００８】
上記課題を解決するために、本考案は、以下の特徴を有する。
請求項１に記載の本考案は、住宅の建設工事現場における個建住宅現場用仮囲いであって、面と面とが直交する箇所で面と面とを連結するための支柱として用いられる隅用柱と、同一方向の面と面とを連結するための支柱として用いられる中間用柱と、隅用柱及び中間用柱の下端に取り付けられ、昇降調整自在の構造を有する昇降自在の基礎と、隅用柱又は中間用柱を横方向に連結するための横連結パイプと、枠に張設された板状体を有するパネルと、を有することを特徴とする個建住宅現場用仮囲いである。
【０００９】
請求項２に記載の本考案は、さらに、隅用柱、中間用柱、横連結パイプ及びパネルからなる嵩上げ用部材を有することを特徴とする請求項１に記載の個建住宅現場用仮囲いである。
【００１０】
請求項３に記載の本考案は、前記隅用柱及び中間用柱は、前記パネルを係止するための係止金具を有する連結具を備え、横連結パイプの連結金具と前記隅用柱及び中間用柱の連結具には穴あけ加工が施されていることを特徴とする請求項１又は２に記載の個建住宅現場用仮囲いである。
【００１１】
請求項４に記載の本考案は、前記パネルの板状体は、プラスチック又は金属網からなる  ことを特徴とする請求項１ないし３にいずれかに記載の個建住宅現場用仮囲いである。
【考案の効果】
【００１２】
本考案により、支柱を上部、下部の２層式にして現場の状況によって、支柱下部だけの使用と上部下部の２層で使用することにより、現場の景観や安全等が確保できる個建住宅現場用仮囲いを提供することができる。
また、パネル等を支えるために支柱にプレートを付け、そして、支柱と支柱を連結する連結部品を装着するために、プレート上に穴開け加工を施し、かつ各種パネルを一人で取り付けできるようプレート先端部分にパネルの受け口としてＬ型の部品を装着することにより、施工組立及び分解が極めて容易で簡単な個建住宅現場用仮囲いを提供することができる。
【考案を実施するための最良の形態】
【００１３】
以下に、本考案を実施するための最良の形態を図面に基づいて説明する。
【００１４】
図１は、本考案の個設住宅現場仮囲いの概要を示す図である。
個設住宅現場仮囲い１は、隅用柱２、中間用柱３、昇降自在の基礎４、横連結パイプ５及びパネル６から構成されている。
【００１５】
図２は、本考案の隅用柱を示す図である。
隅用柱２は、面と面とが直交する箇所で面と面とを連結するための支柱として用いられ、隅用柱本体２ａ、上部連結部２ａ１及び隅用柱本体の上下位置に取り付けられた隅用連結具２ｂから構成されている。
【００１６】
図３は、本考案の中間用柱を示す図である。
中間用柱３は、同一方向の面と面とを連結するための支柱として用いられ、隅用柱本体３ａ（隅用柱本体２ａと同一）、上部連結部３ａ１及び隅用柱本体の上下位置に取り付けられた隅用連結具３ｂから構成されている。
昇降自在の基礎４は、図１に示すように、ジャッキ様に構成され、隅用柱本体、隅用柱本体の下端に取り付けられ、昇降調整自在の構造に構成される。
【００１７】
図４は、本考案の連結パイプを示す図である。
横連結パイプ５は、隅用柱２や中間用柱３（以下、「支柱パイプ」ともいう）を介して個設住宅現場仮囲いを横方向に連結するためのものであり、横連結パイプ本体５ａ、左方の連結金具５ｂ及び右方の連結金具５ｃから構成されている。左方の連結金具５ｂ及び右方の連結金具５ｃは、隅用連結具２ｂと中間用連結具３ｂに係脱する。
【００１８】
図５は、本考案のパネルを示す図である。
パネル６は、正面方形の枠６ａ、枠に張設された板状体のフラットパネル６ｂ又は網状パネル６１、枠の側面における上下に突設された係止金具６ｃ、６１ｂから構成され、隅用連結具２ｂや中間用連結具３ｂのフック２ｃ、３ｃに係脱する。ここで、フラットパネル６ｂはプラスチック又は木製の板を用いることが可能である。また、網状パネル６１は、例えば、金属網や丸棒を用いることが可能である。
【００１９】
次に、本考案の個設住宅現場仮囲いを組み立てについて説明する。
図６は、隅用柱又は中間用柱を地面に固定した状態を示す図である。図７は、本考案の個設住宅現場仮囲いの骨組みを示す図である。図８は、本考案の個設住宅現場仮囲いの平面図を示す図である。図６に示すように、隅用柱２又は中間用柱３は、ジャッキ用に構成された昇降自在の基礎４の上に取り付けられ、支えパイプ８が単管クランプ８ａを介して取り付けられている。支えパイプの単管クランプが取り付けられた他方の端には単管クランプ８ａを介してアンカー８ｂが取り付けられている。このアンカー８ｂを地面に埋め込むことにより、支えパイプ８を介して隅用柱２及び中間用柱３が地面に固定される。
【００２０】
次に、隅用柱２及び中間用柱３に横連結パイプ５を取り付ける。取り付けは、隅用柱２又は中間用柱３の隅用連結具２ｂ又は中間用連結具３ｂを挟み込むように横連結パイプ５の連結金具５ｂ、５ｃを取り付け、図４に示す連結金具５ｂ、５ｃにチェーンでつながれているくさびを前記連結具２ｂ、３ｂ及び連結金具５ｂ、５ｃの穴に通して固定する。くさびは一辺が穴より大きいために、連結金具５ｂ、５ｃの上部の穴で引っかかり抜け落ちないようになっている。
【００２１】
図９は、他のくさびの形態を示す図である。図９（ａ）は、くさびが取り付けられた状態を示す図である。図９（ｂ）は、図９（ａ）をＢ方向から見た断面図である。図９（ｃ）は、隅用柱又は中間用柱を横連結パイプから分離する状態を示す図である。くさび９１はチェーンを用いることなく、連結金具５ｂ、５ｃに取り付けられている。くさび９１の下部には凸部９２が形成されており、連結金具５ｂ、５ｃのくさび穴の下部の穴幅ｗ１がくさびの凸部を含めた厚みｔより大きく、上部の穴幅ｗ２がくさびの凸部を含めた厚みｔより小さいために、くさびは連結金具５ｂ、５ｃより抜け落ちないようになっている。即ち、ｗ１＞ｔ＞ｗ２の関係にある。そして、隅用連結具２ｂ又は中間用連結具３ｂの穴幅ｗ３、ｗ４もくさびの凸部を含めた厚みｔより大きいため、くさびは隅用連結具２ｂ又は中間用連結具３ｂの穴を通過することが出来る。即ち、ｗ３＞ｔ、ｗ４＞ｔの関係にある。このようにすることで、簡単に隅用柱２及び中間用柱３への横連結パイプ５の取り付け、取り外しが可能になる。
【００２２】
このようにして、本考案の個設住宅現場仮囲い１の骨組みが出来上がる。次にパネル６を隅用柱２又は中間用柱３に取り付ける。取り付けは、パネル６の係止金具６ｃを隅用柱２又は中間用柱３のフック２ｃ、３ｃに係留して取り付ける。
以上により、少ない部品点数で、簡単に個設住宅現場仮囲い１を組み立てることが出来る。
【００２３】
上述した個設住宅現場仮囲い１は、支柱パイプが上方向に対して１本から構成される１層式であるが、現場の景観を確保するために、２層式にすることも可能である。
２層式の個設住宅現場仮囲い１１は、図１に示すように、隅用柱２、中間用柱３、昇降自在の基礎４、横連結パイプ５、パネル６及び嵩上げ用部材７から構成されている。嵩上げ用部材７は、隅用柱７ａ、中間用柱７ｂ、横連結パイプ７ｃ及びパネル７ｄから構成され、これらの構成物は、上述した個設住宅現場仮囲い１における隅用柱２、中間用柱３、横連結パイプ５及びパネル６と同一であり、１層の個設住宅現場仮囲い１と同様に構成されている。
【００２４】
２層の個設住宅現場仮囲い１１の組み立ては、まず、骨組みの組み立てにおいて、１層の個設住宅現場仮囲い１の隅用柱２の上部連結部２ａ１に嵩上げ用部材７の隅用柱７ａを、中間用柱３の上部連結部３ａ１に嵩上げ用部材７の中間用柱７ｂを、それぞれ差し込み、続いて、横連結パイプ７ｃを１層式の場合と同様に取り付ける。最後に、上層部にパネル７ｃを取り付ける。パネルは、２層の場合でも簡単に一人で取り付けることが出来る。
【００２５】
以上により、簡単に１層の個設住宅現場仮囲い１から２層の個設住宅現場仮囲い１１を組み立てることができ、現場の景観や安全等を確保することができる。
【図面の簡単な説明】
【００２６】
【図１】本考案の個設住宅現場仮囲いの概要を示す図である。
【図２】本考案の隅用柱を示す図である。
【図３】本考案の中間用柱を示す図である。
【図４】本考案の連結パイプを示す図である。
【図５】本考案のパネルを示す図である。
【図６】隅用柱又は中間用柱を地面に固定した状態を示す図である。
【図７】本考案の個設住宅現場仮囲いの骨組みを示す図である。
【図８】本考案の個設住宅現場仮囲いの平面図を示す図である。
【図９】他のくさびの形態を示す図である。
【符号の説明】
【００２７】
１  個設住宅現場仮囲い
２  隅用柱
２ａ  隅用柱本体
２ａ１  上部連結部
２ｂ  隅用連結具
２ｃ  係止金具（フック）
３  中間用柱
３ａ  隅用柱本体
３ａ１  上部連結部
３ｂ  中間用連結具
３ｃ  係止金具（フック）
４  昇降自在の基礎
５  横連結パイプ
５ａ  横連結パイプ
５ｂ  連結金具（左）
５ｃ  連結金具（右）
５ｄ  くさび
５ｅ  くさび用穴
６  パネル
６ａ  正面方形の枠
６ｂ  板状体
６ｃ  係止金具
６１  網状パネル
６１ａ  正面方形の網
６１ｂ  係止金具
７  嵩上げ用部材
７ａ  隅用柱
７ｂ  中間用柱
７ｃ  横連結パイプ
７ｄ  パネル
８  支えパイプ
８ａ  単管クランプ
８ｂ  アンカー
９  横連結パイプ
９１  くさび
９２  凸部
９３  支柱パイプ
９４  連結板
【図１】
0003118599.tif 000003
【図２】
0003118599.tif 000004
【図３】
0003118599.tif 000005
【図４】
0003118599.tif 000006
【図５】
0003118599.tif 000007
【図６】
0003118599.tif 000008
【図７】
0003118599.tif 000009
【図８】
0003118599.tif 000010
【図９】
0003118599.tif 000011